(57)【要約】【課題】本発明は、粒状物やシート状物等の被選別物を選別する光学部をユニット化することで、光学式選別機の組立作業や据付作業を簡略化することができる光学式選別機用の光学ユニットを提供することを目的とする。【解決手段】本発明の光学式選別機用光学ユニットは、光学式選別機において被選別物を選別する光学部であって、前記光学部が、被選別物を検出する光学検出手段と、被選別物を排除するエジェクタ手段と、前記光学検出手段の検出信号を処理し被選別物の良否判定を行う判定手段と、前記判定手段の良否判定結果に基づいて前記エジェクタ手段を駆動するエジェクタ駆動手段を有し、前記光学検出手段、前記エジェクタ手段、前記判定手段及び前記エジェクタ駆動手段を筐体とともに一体化して前記光学部をユニット化したことを特徴とする。【選択図】図２
2018094521.tif 000002
【特許請求の範囲】
【請求項１】
光学式選別機において被選別物を選別する光学部であって、
前記光学部は、
被選別物を検出する光学検出手段と、
被選別物を排除するエジェクタ手段と、
前記光学検出手段の検出信号を処理し被選別物の良否判定を行う判定手段と、
前記判定手段の良否判定結果に基づいて前記エジェクタ手段を駆動するエジェクタ駆動手段を有し、
前記光学検出手段、前記エジェクタ手段、前記判定手段及び前記エジェクタ駆動手段を筐体とともに一体化して前記光学部をユニット化したことを特徴とする光学式選別機用光学ユニット。
【請求項２】
前記筐体は被選別物の落下空間を中央に有し、前記落下空間の前方及び後方に一対の前記光学検出手段、前記落下空間内であって前方側又は後方側に前記エジェクタ手段、前記落下空間の側方に前記判定手段及び前記エジェクタ駆動手段が配設される請求項１記載の光学式選別機用光学ユニット。
【請求項３】
前記筐体は、前記落下空間の両側方に位置しシャフトで連結される一対の側面フレーム、前記両側面フレーム間であって前記落下空間の前方及び後方に配設され前記落下空間側に透明板が装着される一対の筒状カバー、前記各側面フレームの外端部に固定される一対の側面カバーを備え、前記各光学検出手段は前記各筒状カバー内、前記エジェクタ手段は前記落下空間内であっていずれかの前記筒状カバーの前方、前記判定手段は前記側面フレームと前記側面カバーの間の空間のいずれか一方、及び前記エジェクタ駆動手段は前記側面フレームと前記側面カバーの間の空間のいずれか他方にそれぞれ配設される請求項２記載の光学式選別機用光学ユニット。
【請求項４】
前記各筒状カバーは樹脂と金属の複合板からなる請求項３記載の光学式選別機用光学ユニット。
【請求項５】
前記判定手段は信号処理回路基板、前記エジェクタ駆動手段はエジェクタ駆動回路基板からなる請求項１乃至４のいずれかに記載の光学式選別器用光学ユニット。
【発明の詳細な説明】
【技術分野】
【０００１】
本発明は、穀粒や樹脂ペレット等の粒状物又は海苔等のシート状物を色彩等に基づいて選別する光学式選別機に関連し、前記光学式選別機の光学部として使用する光学式選別機用の光学ユニットに関する。
【背景技術】
【０００２】
従来、米・麦類・豆類・ナッツ類等の穀粒、ペレット・ビーズ等の樹脂片、医薬品、鉱石類、シラス等の細かい物品、その他の粒状物やシート状物等からなる原料を色彩等に基づいて良品と不良品に選別したり、原料に混入する異物等を排除したりする光学式選別機は周知である。
【０００３】
この種の光学式選別機は、粒状物等を選別する光学部を備え、前記光学部は、粒状物等を検出する光学検出装置、粒状物等を排除するエジェクタ装置、前記光学検出装置の検出信号を処理し粒状物等の良否判定を行う信号処理回路、前記信号処理回路の良否判定結果に基づいて前記エジェクタ装置を駆動するエジェクタ駆動回路を備えている。
【０００４】
特許文献１には、前後の収納ケーシングのそれぞれに照明手段と受光手段等の光学検出装置が収納され、前記両収納ケーシングは側板が共通の一体な箱体に形成されており、前記両収納ケーシング間の計測対象領域から移送経路下手側の分離箇所に、エジェクタ装置を構成するエアー吹き付け装置が設けられた光学式選別機が記載されている。
【０００５】
ところが、前記光学式選別機は、前記エジェクタ装置を構成するエアー切り換えバルブやマニホールド、前記受光手段の信号を処理し粒状物の良否判定を行う信号処理回路、及び前記信号処理回路の良否判定結果に基づいて前記エジェクタ装置を駆動するエジェクタ駆動回路を前記箱体と一体に備えるものではない。
【０００６】
そのため、前記光学式選別機は、前記箱体のみでは光学部としての機能をもつものでなく、バルブやマニホールド、各回路基板を別途機体に組み付けて光学部を調整する必要があり、組立作業や据付作業が煩雑となる問題がある。
【０００７】
他方、特許文献２には、前後の照明部収納ケースのそれぞれに光学検出装置を構成する照明手段等が収納され、前記両照明部収納ケースが、両側部に位置する側面部により一体的に連結されて一つの収納体に形成されており、前記両照明部収納ケースには、それぞれ光学検出装置を構成する受光装置等を収納する受光部ケースが連結支持された光学式選別機が記載されている。また、前記特許文献２には、前記光学式選別機が、前記収納体に、前記両照明部収納ケース間の計測対象箇所よりも移送方向下手側に位置する状態でエジェクタ装置を構成するエアー吹き付け装置、エアーマニホールド及び電磁弁が取り付けられ、前記収納体の両側部が基枠の左右の側板に支持される構成であり、前記各側板とその外方側を覆う側部カバーとの間の空間内であって右側の前記側板には制御装置、左側の前記側板に電磁弁駆動回路が固定されることが記載されている。
【０００８】
しかしながら、前記光学式選別機も、粒状物等の良否判定を行う制御装置（信号処理回路）及び前記制御装置の良否判定結果に基づいて前記エジェクタ装置を駆動する電磁弁駆動回路（エジェクタ駆動回路）を前記収納体と一体に備えるものではない。
【０００９】
そのため、前記光学式選別機も、前記収納体のみでは光学部としての機能をもつものでなく、各回路基板を別途機体に組み付けて光学部を調整する必要があり、組立作業や据付作業が煩雑となる問題がある。
【先行技術文献】
【特許文献】
【００１０】
【特許文献１】特開２００６−２３１２３３号公報
【特許文献２】特開２０１２−２５０１９３号公報
【発明の概要】
【発明が解決しようとする課題】
【００１１】
そこで、本発明は、粒状物やシート状物等の被選別物を選別する光学部をユニット化することで、光学式選別機の組立作業や据付作業を簡略化することができる光学式選別機用の光学ユニットを提供することを目的とする。
【課題を解決するための手段】
【００１２】
上記目的を達成するため、本発明の光学式選別機用光学ユニットは、
光学式選別機において被選別物を選別する光学部であって、
前記光学部が、
被選別物を検出する光学検出手段と、
被選別物を排除するエジェクタ手段と、
前記光学検出手段の検出信号を処理し被選別物の良否判定を行う判定手段と、
前記判定手段の良否判定結果に基づいて前記エジェクタ手段を駆動するエジェクタ駆動手段を有し、
前記光学検出手段、前記エジェクタ手段、前記判定手段及び前記エジェクタ駆動手段を筐体とともに一体化して前記光学部をユニット化したことを特徴とする。
【００１３】
ここで、本発明において、前記判定手段が行う被選別物の良否判定は、原料の良品と不良品の判定に限るものでなく、原料と該原料に混入する異物の判定や原料の種別の判定なども含むものである。
【００１４】
本発明の光学式選別機用光学ユニットは、
前記筐体が被選別物の落下空間を中央に有し、前記落下空間の前方及び後方に一対の前記光学検出手段、前記落下空間内であって前方側又は後方側に前記エジェクタ手段、前記落下空間のいずれか一方の側方に前記判定手段、及び前記落下空間のいずれか他方の側方に前記エジェクタ駆動手段が配設されることが好ましい。
【００１５】
本発明の光学式選別機用光学ユニットは、
前記筐体が、前記落下空間の両側方に位置しシャフトで連結される一対の側面フレーム、前記両側面フレーム間であって前記落下空間の前方及び後方に配設され前記落下空間側に透明板が装着される一対の筒状カバー、前記各側面フレームの外端部に固定される一対の側面カバーを備え、前記各光学検出手段は前記各筒状カバー内、前記エジェクタ手段は前記落下空間内であっていずれかの前記筒状カバーの前方、前記判定手段は前記側面フレームと前記側面カバーの間の空間のいずれか一方、及び前記エジェクタ駆動手段は前記側面フレームと前記側面カバーの間の空間のいずれか他方にそれぞれ配設されることが好ましい。
【００１６】
本発明の光学式選別機用光学ユニットは、
前記各筒状カバーが樹脂と金属の複合板からなることが好ましい。
【００１７】
本発明の光学式選別機用光学ユニットは、
前記判定手段が信号処理回路基板、前記エジェクタ駆動手段がエジェクタ駆動回路基板からなることが好ましい。
【発明の効果】
【００１８】
本発明の光学式選別機用光学ユニットは、光学検出手段、エジェクタ手段、判定手段及びエジェクタ駆動手段を筐体とともに一体化して被選別物を選別する光学部をユニット化したので、ユニット単体の状態で光学部の調整を行うことができる。
したがって、本発明の光学式選別器用光学ユニットによれば、光学式選別機の組立時や据付時における光学部の調整が不要となり、光学選別機の組立作業や据付作業を簡略化することができる。
【００１９】
本発明の光学式選別機用光学ユニットは、光学検出手段、エジェクタ手段、判定手段及びエジェクタ駆動手段を筐体とともに一体化して被選別物を選別する光学部をユニット化したので、被選別物の供給ユニットや選別後の被選別物の排出ユニットと組み合わせることで様々なタイプの光学式選別機を簡単に構成することができる。
【００２０】
本発明の光学式選別機用光学ユニットは、光学検出手段、エジェクタ手段、判定手段及びエジェクタ駆動手段を筐体とともに一体化して被選別物を選別する光学部をユニット化したので、電源やエアー源等と接続するだけで光学部としての機能を発揮する。
したがって、本発明の光学式選別機用光学ユニットによれば、光学部単体であっても直ちに被選別物の良否判定を行い、前記被選別物を選別することができる。
【００２１】
本発明の光学式選別機用光学ユニットは、前記筐体が被選別物の落下空間を中央に有し、前記落下空間の前方及び後方に一対の前記光学検出手段、前記落下空間内であって前方側又は後方側に前記エジェクタ手段、前記落下空間の側方に前記判定手段及び前記エジェクタ駆動手段が配設されることとすれば、コンパクトな構成とすることができる。
したがって、本発明の光学式選別機用光学ユニットによれば、光学式選別機の組立作業や据付作業が容易となる。
【００２２】
本発明の光学式選別機用光学ユニットは、前記筐体が、前記落下空間の両側方に位置しシャフトで連結される一対の側面フレーム、前記両側面フレーム間であって前記落下空間の前方及び後方に配設され前記落下空間側に透明板が装着される一対の筒状カバー、前記各側面フレームの外端部に固定される一対の側面カバーを備え、前記各光学検出手段は前記各筒状カバー内、前記エジェクタ手段は前記落下空間内であっていずれかの前記筒状カバーの前方、前記判定手段は前記側面フレームと前記側面カバーの間の空間のいずれか一方、及び前記エジェクタ駆動手段は前記側面フレームと前記側面カバーの間の空間のいずれか他方にそれぞれ配設されることとすれば、軽量でコンパクトな構成とすることができる。
また、本発明の光学式選別機用光学ユニットは、前記筒状カバーが樹脂と金属の複合板からなることとすれば、軽量で剛性のある構成とすることができる。
したがって、本発明の光学式選別機用光学ユニットによれば、光学式選別機の組立作業や据付作業が容易となる。
【図面の簡単な説明】
【００２３】
【図１】光学式選別機の斜視図。
【図２】光学ユニットの斜視図。
【図３】光学ユニットの平面図。
【図４】光学ユニットの分解斜視図。
【図５】光学ユニットの断面斜視図であって落下空間内の説明図。
【図６】図３のＡ−Ａ断面図。
【図７】図３のＢ−Ｂ断面図。
【図８】図３のＣ−Ｃ断面図。
【図９】光学ユニットの背面斜視図。
【図１０】光学ユニットの背面図。
【発明を実施するための形態】
【００２４】
本発明の実施の形態について図面を参照しながら説明する。
図１は、本発明の実施の形態における光学ユニットを光学部として使用する光学式選別機の斜視図を示す。
前記光学式選別機１は、粒状物を供給する粒状物供給部２、粒状物を選別する光学部３、選別後の粒状物を排出する排出部４を備える。
【００２５】
前記粒状物供給部２は、図示しない原料タンクと、前記原料タンク内の粒状物を前記光学部３に供給するシュート２１を備える。
前記光学部３は、前記光学式選別機１の所定位置に設置され、前記粒状物供給部２から供給される粒状物を選別する光学ユニット３０を備える。
前記排出部４は、前記光学部３で選別される粒状物を良否別に排出する図示しない排出ホッパを備える。
【００２６】
前記光学ユニット３０は、粒状物を検出する光学検出装置と、粒状物を排除するエジェクタ装置と、前記光学検出装置の検出信号を処理し粒状物の良否判定を行う信号処理回路基板と、前記信号処理回路基板の良否判定結果に基づいて前記エジェクタ装置を駆動するエジェクタ駆動回路基板を筐体３１とともに一体化して光学部３をユニット化したものである。
また、前記光学部３における粒状物の良否判定は、粒状物である原料の良品と不良品の判定に限るものでなく、原料と該原料に混入する異物の判定や原料の種別の判定なども含むものである。
【００２７】
前記粒状物供給部２において、前記原料タンクから繰り出される粒状物は、前記シュート２１の表面上を流下し、前記シュート２１の下端から所定の軌跡に沿って自由落下する。
前記自由落下する粒状物は、前記光学部３において、前記光学検出装置により検出され、前記光学検出装置の検出信号が前記信号処理回路基板で処理されて良否判定される。そして、前記良否判定結果に基づいて前記エジェクタ駆動回路基板によりエジェクタ装置が駆動され、前記エジェクタ装置により前記粒状物が落下軌跡から排除されて良否選別される。
前記良否選別された粒状物は、前記排出部４において、前記排出ホッパから良否別に排出される。
【００２８】
図２は光学ユニットの斜視図を示す。図３は光学ユニットの平面図を示す。
前記光学ユニット３０は、中央に粒状物の落下空間Ｓを有する筐体３１を備える。
前記筐体３１は、主に側面フレーム３２ａ，３２ｂ、筒状カバー３４ａ，３４ｂ、天板３７ａ，３７ｂ、側面カバー５０，５０から構成される。
前記筐体３１には、前記落下空間Ｓの前方及び後方に図示しない一対の光学検出装置、前記落下空間Ｓ内であって後方側にエジェクタ装置、前記落下空間Ｓの側方に図示しない信号処理回路基板及びエジェクタ駆動回路基板がそれぞれ配設され、一体化されている。
【００２９】
図４は光学ユニットの分解斜視図を示す。図５は光学ユニットの断面斜視図であって落下空間Ｓ内の説明図を示す。図６は光学ユニットの正面断面図であって図３のＡ−Ａ断面図を示す。図７は光学ユニットの側面断面図であって図３のＢ−Ｂ断面図を示す。図８は光学ユニットの側面断面図であって図３のＣ−Ｃ断面図を示す。
前記筐体３１は、前記落下空間Ｓの両側方に一対の側面フレーム３２ａ，３２ｂを有し、前記両側面フレーム３２ａ，３２ｂが複数のシャフト３３で連結されて骨組みが構成される。
【００３０】
前記両側面フレーム３２ａ，３２ｂ間であって前記落下空間Ｓの前方及び後方には、樹脂と金属の複合板から構成されて折り曲げ形成される一対の筒状カバー３４ａ，３４ｂが配設される。
前記各筒状カバー３４ａ，３４ｂの内部には、それぞれカメラモジュール３５ａ，３５ｂ、光源・バックグラウンドモジュール３６ａ，３６ｂなど前記光学検出装置の各構成要素が配設される。前記各筒状カバー３４ａ，３４ｂの上部には、前記カメラモジュール３５ａ，３５ｂなどを前記各筒状カバー３４ａ，３４ｂ内に配設するための開口が設けられ、前記各開口は天板３７ａ，３７ｂにより閉蓋される。前記両側面フレーム３２ａ，３２ｂには、前記光源・バックグラウンドモジュール３６ａ，３６ｂなどを前記各筒状カバー３４ａ，３４ｂ内に配置するための開口が設けられ、前記各開口は、側面カバー５０，５０により閉蓋される。
前記各筒状カバー３４ａ，３４ｂは、開口部であって他の部材との連結部にパッキンが施され、内部が密閉空間とされる。
【００３１】
前記各筒状カバー３４ａ，３４ｂの前記落下空間Ｓ側には開口が設けられ、前記各開口には前記落下空間Ｓの前壁及び後壁を構成する透明なガラス板３８ａ，３８ｂが装着される。
また、前記各ガラス板３８ａ，３８ｂの前記落下空間Ｓ側の面には清掃用のフロントワイパー３９ａ，３９ｂが設けられる。また、前記各筒状カバー３４ａ，３４ｂの内部には前記各フロントワイパー３９ａ，３９ｂを動作させるフロントワイパーモジュール４０ａ，４０ｂが配設される。
ここで、前記各筒状カバー３４ａ，３４ｂの前記落下空間Ｓ側に設けられる開口には、前記ガラス板３８ａ，３８ｂに代えて、他の材料からなる透明板を装着することができる。
【００３２】
前記各側面フレーム３２ａ，３２ｂは、前記落下空間Ｓの両側壁を構成する端板４１，４１を一体に有し、前記各端板４１，４１の上部であって前記落下空間Ｓ側の内面には当該落下空間Ｓの両側部における光量を確保するための一対のミラー４２，４２が装着される。前記各ミラー４２，４２の前面には清掃用のサイドワイパー４３，４３が設けられ、前記各端板４１，４１の外側には前記各サイドワイパー４３，４３を動作させるサイドワイパーモジュール４４ａ，４４ｂが配設される。
ここで、前記各端板４１，４１の上部であって前記落下空間Ｓ側の内面には、前記ミラー４２，４２に代えて、他の材料からなる反射板を装着することができる。
【００３３】
前記落下空間Ｓ内であって後方側にはノズル、バルブ及びマニホールドを備えるバルブモジュール４５が配設される。また、前記落下空間Ｓ内であって前方側には前記バルブモジュール４５に対向して飛散防止板４６が配設される。
前記バルブモジュール４５は前記エジェクタ装置を構成し、前記落下空間Ｓの後方の筒状カバー３４ｂ内に配設されるエアー配管４７と接続される。
【００３４】
前記各端板４１，４１の外側であって、前記各サイドワイパーモジュール４４ａ，４４ｂの下方には、それぞれ前記光学検出装置の検出信号を処理し粒状物の良否判定を行う信号処理回路基板４８、前記信号処理回路基板４８の良否判定結果に基づいて前記エジェクタ装置を駆動するエジェクタ駆動回路基板４９が配設される。
そして、前記信号処理回路基板４８及び前記エジェクタ駆動回路基板４９の外側であって前記各フレーム３２ａ，３２ｂの外端部には、それぞれ側面カバー５０，５０が装着されている。
【００３５】
図９は光学ユニットの背面斜視図を示す。図１０は光学ユニットの背面図を示す。
前記光学ユニット３０は、前記筐体３１の背面側に電源コネクタ５１、エアー配管コネクタ５２、Ｉ／Ｏコネクタ５３及びネットワークコネクタ５４等の各種コネクタを備える。
前記エジェクタ装置には、前記エアー配管コネクタ５２から前記エアー配管４７を介してエアーが供給される。また、前記筐体内３１には、図示しない各種配線が施されており、前記光学検出装置、前記エジェクタ装置、前記信号処理回路基板及び前記エジェクタ駆動回路基板には、前記電源コネクタ５１から電気が供給され、前記Ｉ／Ｏコネクタ５２及び前記ネットワークコネクタ５３を介して信号の伝達が行われる。
【００３６】
本発明の実施の形態における光学ユニット３０は、前記光学検出装置、前記エジェクタ装置、前記信号処理回路基板４８及び前記エジェクタ駆動回路基板４９を筐体３１とともに一体化することで粒状物を選別する光学部をユニット化したので、ユニット単体の状態で光学部の調整を行うことができる。
したがって、本発明の実施の形態における光学ユニット３０によれば、光学式選別機の組立時や据付時における光学部の調整が不要となり、光学選別機の組立作業や据付作業を簡略化することができる。
【００３７】
本発明の実施の形態における光学ユニット３０は、前記光学検出装置、前記エジェクタ装置、前記信号処理回路基板４８及び前記エジェクタ駆動回路基板４９を筐体３１とともに一体化することで粒状物を選別する光学部をユニット化したので、粒状物の供給ユニットや選別後の粒状物の排出ユニットと組み合わせることで様々なタイプの光学式選別機を簡単に構成することができる。
【００３８】
本発明の実施の形態における光学ユニット３０は、前記光学検出装置、前記エジェクタ装置、前記信号処理回路基板４８及び前記エジェクタ駆動回路基板４９を筐体３１とともに一体化することで粒状物を選別する光学部をユニット化したので、前記電源コネクタ５１や前記エアー配管コネクタ５２により電源やエアー源等と接続するだけで光学部としての機能を発揮する。
したがって、本発明の実施の形態における光学ユニット３０によれば、光学部単体であっても直ちに粒状物の良否判定を行い、前記粒状物を選別することができる。
【００３９】
本発明の実施の形態における光学ユニット３０は、前記筐体３１が粒状物の落下空間Ｓを中央に有し、前記落下空間Ｓの前方及び後方に一対の前記光学検出装置、前記落下空間Ｓ内であって後方側に前記エジェクタ装置、前記落下空間Ｓの側方に前記信号処理回路基板４８及び前記エジェクタ駆動回路基板４９を配設することでコンパクトな構成とすることができる。
したがって、本発明の実施の形態における光学ユニット３０によれば、光学式選別機の組立作業や据付作業が容易となる。
【００４０】
本発明の実施の形態における光学ユニット３０は、前記筐体３１が、前記落下空間Ｓの両側方に一対の側面フレーム３２ａ，３２ｂを有し、前記両側面フレーム３２ａ，３２ｂが複数のシャフト３３で連結されて骨組みが構成され、前記両側面フレーム３２ａ，３２ｂ間であって前記落下空間Ｓの前方及び後方に、樹脂と金属の複合板から構成されて折り曲げ形成される一対の筒状カバー３４ａ，３４ｂが配設されてなるので、軽量で剛性のある構成とすることができる。
したがって、本発明の実施の形態における光学ユニット３０によれば、光学式選別機の組立作業や据付作業が容易となる。
【００４１】
上記本発明の実施の形態において、エジェクタ装置は、ノズル、バルブ及びマニホールドを備えるバルブモジュール４５から構成され、粒状物をエアーにより排除するものを例としたが、粒状物を機械的動作により排除するものとすることもできる。
【００４２】
また、上記本発明の実施の形態において、光学ユニットは、シュートの表面上を流下する粒状物を選別対象とする光学式選別機の光学部として使用する場合を例としたが、例えばコンベア上を搬送される粒状物、シート状物及びフィルム状物等を選別対象とする光学式選別機の光学部としても使用することができる。
【００４３】
本発明の光学ユニット３０は、上記実施の形態に限らず、本発明の範囲を逸脱しない限りにおいて、その構成を適宜変更できることはいうまでもない。
【産業上の利用可能性】
【００４４】
本発明の光学ユニット３０は、粒状物やシート状物等の被選別物を選別する光学部をユニット化することで、光学式選別機の組立作業や据付作業を簡略化することができるので、極めて有用である。
【符号の説明】
【００４５】
１      光学式選別機
２      粒状物供給部
３      光学部
４      排出部
２１      シュート
３０      光学ユニット
３１      筐体
３２ａ，３２ｂ      側面フレーム
３３      シャフト
３４ａ，３４ｂ      筒状カバー
３５ａ，３５ｂ      カメラモジュール
３６ａ．３６ｂ      光源・バックグラウンドモジュール
３７ａ，３７ｂ      天板
３８ａ，３８ｂ      ガラス板（透明板）
３９ａ，３９ｂ      フロントワイパー
４０ａ，４０ｂ      フロントワイパーモジュール
４１      端板
４２      ミラー（反射板）
４３      サイドワイパー
４４ａ，４４ｂ      サイドワイパーモジュール
４５      バルブモジュール
４６      飛散防止板
４７      エアー配管
４８      信号処理回路基板
４９      エジェクタ駆動回路基板
５０      側面カバー
５１      電源コネクタ
５２      エアー配管コネクタ
５３      Ｉ／Ｏコネクタ
５４      ネットワークコネクタ
Ｓ      落下空間
【図１】
2018094521.tif 000003
【図２】
2018094521.tif 000004
【図３】
2018094521.tif 000005
【図４】
2018094521.tif 000006
【図５】
2018094521.tif 000007
【図６】
2018094521.tif 000008
【図７】
2018094521.tif 000009
【図８】
2018094521.tif 000010
【図９】
2018094521.tif 000011
【図１０】
2018094521.tif 000012